【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
少なくとも一つのフッ素重合体からなる第一層（１）と、少なくとも一つの別の第二層（２）とからなり、その少なくとも一部の領域が第一層に直接接触し、第二層（２）がポリアミド−ポリアミン共重合体からなることを特徴とする熱可塑性多層複合物（４）。
【請求項２】
フッ素重合体がエチレンの有無にかかわらず、テトラフルオロエチレン（ＴＦＥ）、ヘキサフルオロプロピレン（ＨＦＰ）、ビニルフッ化物（ＶＦ）、過フッ素化メチルビニルエーテル（ＰＭＶＥ）又はフッ化ビニリデン（ＶＤＦ）からなるフッ素重合体、又はそれらの混合物から選択されることを特徴とする請求項１に記載の熱可塑性多層複合体（４）。
【請求項３】
第一層（１）がエチレン−テトラフルオロエチレン共重合体（ＥＴＦＥ）からなる、或いはポリフッ化ビニリデン（ＰＶＤＦ）からなる層であることを特徴とする請求項１又は２に記載の熱可塑性多層複合体（４）。
【請求項４】
内部層（１）がフッ素重合体からなる層であり、粘着性に関して改変されていないことを特徴とする請求項１乃至３の何れか一項に記載の熱可塑性多層複合体（４）。
【請求項５】
多層複合物が中空体又は被覆物という形態であり、ここで多層複合物が中空体である場合、第一層（１）は望ましくは中空体の内側に向かって面している層であることを特徴とする請求項１乃至４の何れか一項に記載の熱可塑性多層複合体（４）。
【請求項６】
第二層（２）の少なくとも一部の領域がポリアミドからなる第三層（３）とも直接隣接することを特徴とする請求項１乃至５の何れか一項に記載の熱可塑性多層複合体（４）。
【請求項７】
第二層（２）のポリアミド−ポリアミン共重合体及び第三層（３）のポリアミドが少なくともある程度類似していることを特徴とする請求項６に記載の熱可塑性多層複合体（４）。
【請求項８】
モノマー、特に第二層（２）及び第三層（３）のポリアミド−形成モノマーの少なくとも９５％が同一であることを特徴とする請求項７に記載の熱可塑性多層複合体（４）。
【請求項９】
多層複合物が中空体であり、ここで第一層（１）は中空体の内側に向かって少なくとも間接的に面しており、ここで第三層（３）は中空体の外側に向かって少なくとも間接的に面しており、そしてここで層（１，２，３）は望ましくは本質的に直接全表面に互いに接触していることを特徴とする請求項６乃至８の何れか一項に記載の熱可塑性多層複合体（４）。
【請求項１０】
第二層（２）のポリアミド−ポリアミン共重合体及び／又は第三層（３）のポリアミドが脂肪族ラクタム又は４乃至４４の炭素原子、望ましくは４乃至１８の炭素原子、特に１２の炭素原子を有するω−アミノカルボン酸からなる重合体又はポリ縮合物であり、或いは６乃至２０の炭素原子を有する芳香族ω−アミノカルボン酸からなる重合体又はポリ縮合物であることを特徴とする請求項１乃至９の何れか一項に記載の熱可塑性多層複合体（４）。
【請求項１１】
第二層（２）のポリアミド−ポリアミン共重合体及び／又は第三層（３）のポリアミドが少なくとも一つのジアミン及び少なくとも一つのジカルボン酸からなるポリ縮合体であり、いずれの場合においても２乃至４４の炭素原子を有することを特徴とする請求項１乃至１０の何れか一項に記載の熱可塑性多層複合体（４）。
【請求項１２】
ジアミンが以下の官能基：エチレンジアミン、１，４−ジアミノブタン、１，６−ジアミノヘキサン、１，１０−ジアミノデカン、１，１２−ジアミノドデカン、ｍ−及びｐ−キシリレンジアミン、シクロヘキシルジメチレンアミン、ビス（ｐ−アミノシクロヘキシル）メタン及びそれらのアルキル誘導体から選択されるジアミンの少なくとも一つ以上であり、及び／又はジカルボン酸は以下のジカルボン酸：コハク酸、グルタル酸、アジピン酸、ピメリン酸、スベリン酸、アゼライン酸、セバシン酸、ドデカンジカルボン酸、１，６−シクロヘキサンジカルボン酸、テレフタル酸、イソフタル酸及びナフタレンジカルボン酸の一つ以上であることを特徴とする請求項１１に記載の熱可塑性多層複合体（４）。
【請求項１３】
第二層（２）のポリアミド−ポリアミン共重合体及び／又は第三層（３）のポリアミドの主成分がＰＡ６、ＰＡ１１、ＰＡ４６、ＰＡ１２、ＰＡ１２１２、ＰＡ１０１２、ＰＡ６１０、ＰＡ６１２、ＰＡ６９、ＰＡ６Ｔ、ＰＡ６Ｉ、ＰＡ１０Ｔ、ＰＡ１２Ｔ、ＰＡ１２Ｉ、これらの混合物又はこれらのポリアミドからなる共重合体から選択されるホモ−及びコ−ポリアミドであり、特に好ましいものとしてはＰＡ１１、ＰＡ１２、ＰＡ１２１２、ＰＡ１０Ｔ、ＰＡ１２Ｔが挙げられ、又は上述のポリアミドからなる共重合体、特にＰＡ１２Ｔ／１２、ＰＡ１０Ｔ／１２、ＰＡ１２Ｔ／１０６及びＰＴ１０Ｔ／１０６が挙げられることを特徴とする請求項１乃至１２の何れか一項に記載の熱可塑性多層複合体（４）。
【請求項１４】
第二層（２）のポリアミド−ポリアミン共重合体及び／又は第三層（３）のポリアミドのポリアミド主成分がＰＡ６／６６、ＰＡ６／６１２、ＰＡ６／６６／６１０、ＰＡ６／６６／１２、ＰＡ６／６Ｔ及びＰＡ６／６Ｉであることを特徴とする請求項１乃至１３の何れか一項に記載の熱可塑性多層複合体（４）。
【請求項１５】
第二層（２）のポリアミド−ポリアミン共重合体及び／又は第三層（３）のポリアミドは他の重合体、特にアクリル酸のグラフトされた又は無水マレイン酸のグラフトされたポリオレフィンからなる重合体又は共重合体が添加され、及び／又はＵＶ安定剤及び熱安定剤、結晶化促進剤、可塑剤、難燃剤、衝撃改質剤及び潤滑油のような添加物が添加されることを特徴とする請求項１乃至１４の何れか一項に記載の熱可塑性多層複合体（４）。
【請求項１６】
第二層（２）のためのポリアミド−ポリアミン共重合体を調製するために使用されるポリアミンがポリビニルアミン、交互ポリケトンに由来するポリアミン、デンドリマー或いは線形又は分岐ポリエチレンイミンであることを特徴とする請求項１乃至１５の何れか一項に記載の熱可塑性多層複合体（４）。
【請求項１７】
第二層（２）のためのポリアミド−ポリアミン共重合体を調製するために使用されるポリアミンが５００乃至２５０００ｇ／ｍｏｌ、望ましくは８００乃至５０００ｇ／ｍｏｌの範囲のモル質量、望ましくは２０℃にて１２００乃至５０００ｍＰａ＊ｓの範囲の粘性を備えた線形又は分岐ポリエチレンイミンであることを特徴とする請求項１６に記載の熱可塑性多層複合体（４）。
【請求項１８】
第二層（２）の成型組成物が５０乃至３００μｅｑ／ｇの範囲のアミノ末端基の濃度を有することを特徴とする請求項１乃至１７の何れか一項に記載の熱可塑性多層複合体（４）。
【請求項１９】
第二層（２）の成型組成物が、特に配管又は容器についてＩＳＯ１１３３によって２７５℃／５ｋｇにて１０乃至５０ｃｍ３／１０分の体積流動指数を有し、又は特に光学導体の被覆物についてＩＳＯ１１３３によって２７５℃／５ｋｇにて５０乃至５００ｃｍ３／１０分の体積流動指数を有することを特徴とする請求項１乃至１８の何れか一項に記載の熱可塑性多層複合体（４）。
【請求項２０】
第一層（１）が特にカーボンブラック粒子又は黒鉛粒子の混合物によって静電気防止作用を備えていることを特徴とする請求項１乃至１９の何れか一項に記載の熱可塑性多層複合体（４）。
【請求項２１】
第二層（２）の成型組成物が、ポリアミド−ポリアミン共重合体中の共通の成分としてポリアミン、特に望ましくはポリエチレンイミンからなり、その量は０．２乃至５重量％、望ましくは０．４乃至１．５重量％であり、残りの共重合体の共通のフラクションは望ましくはポリアミドからなることを特徴とする請求項１乃至２０の何れか一項に記載の熱可塑性多層複合体（４）。
【請求項２２】
ポリアミド−ポリアミン共重合体からなる、特にポリアミド−ポリエチレンイミン共重合体からなる層（２）の使用方法であって、フッ素重合体基板（１）に対する接着層（２）として特にフッ素重合体からなる基板（１）とポリアミドからなる層（３）との間の粘着性を提供する使用方法。
【請求項２３】
請求項１乃至２１の何れか一項に記載の熱可塑性多層複合体（４）の、特に自動車部門における流体運搬配管又は容器として、一例としてガソリン又はディーゼルのための特に望ましくは燃料配管として、又は特にＰＭＭＡからなる光学核を備えた光学導体の被覆物としての使用方法。
【請求項２４】
請求項１乃至２１の何れか一項に記載の多層複合体（４）を包含することを特徴とする重合体配管。
【請求項２５】
第一層が導電性添加物の混合物によって静電気防止作用を備えることを特徴とする請求項２４記載の重合体配管。
【請求項２６】
添加物がカーボンブラック粒子または黒鉛粒子から選択されることを特徴とする請求項２５記載の重合体配管。
【請求項２７】
配管はガソリン又はディーゼル用配管であることを特徴とする請求項２４乃至２６の何れか一項に記載の重合体配管。
【請求項２８】
配管は更なる層は構成せず、且つ第二層は外部層であることを特徴とする請求項２４乃至２７の何れか一項に記載の重合体配管。
【請求項２９】
配管は３つの層からなり、且つ第一層が少なくとも間接的には０．０１乃至０．７ｍｍの範囲の厚さの内部層（１）であり、それと接触する第二層が０．０５乃至０．３ｍｍの厚さの接着促進層（２）であり、そして第三層が少なくとも間接的には０．２乃至０．８ｍｍの厚さの外部層（３）であることを特徴とする請求項２４乃至２７の何れか一項に記載の重合体配管。
【請求項３０】
少なくとも一つの層、望ましくは前記内部層が電気伝導性であり及び／又は第一層（１）の内側が別の最内の層を有し、これが導電性であることを特徴とする請求項２４乃至２９の何れか一項に記載の重合体配管。
【請求項３１】
請求項１乃至２１の何れか一項に記載の熱可塑性多層複合体からなる中空体の具体的な製造方法であって、第二層（２）の成型組成物の調製のためにラクタム、ポリアミン、特にポリエチレンイミン及びまた水が高温にて第一に均質化され、そして次に更に３００℃を越える高温にて二時間以上高圧にて重合され、そしてまた次に大気圧及び低温にし、ポリアミド−ポリアミン共重合体を得ることを特徴とする中空体の製造方法。
【請求項３２】
第一層（１）、第二層（２）そしてまた適切な場合、第三層（３）そして適切な場合その他の外部層又は内部層が同時押出成型方法にて接合され、特に望ましくは管又は配管又は容器を得ることを特徴とする請求項３１記載の方法。